(57)【要約】【課題】センサカートリッジの出口が開放されていたため、湿気によってセンサの性能が劣化する。【解決手段】略直方体形状をしたカートリッジケース１２と、このカートリッジケース１２内に積層収納されたセンサ１３と、このセンサ１３の近傍に収納された乾燥剤１４と、カートリッジケース１２に設けられるとともにセンサ１３が搬出される出口１２ａと、この出口１２ａからセンサ１３を搬出するスライドプレート１５とを備え、スライドプレート１５による搬出動作に連動して出口１２ａを開閉するシャッタ１８が設けられたものである。これにより、所期の目的を達成することができる。【選択図】図１
2010094402.tif 000002
【特許請求の範囲】
【請求項１】
略直方体形状をしたカートリッジケースと、このカートリッジケース内に積層収納された血液センサと、この血液センサの近傍に収納された乾燥剤と、前記カートリッジケースに設けられるとともに前記血液センサが搬出される出口と、この出口から前記血液センサを搬出するスライドプレートとを備え、前記スライドプレートによる搬出動作に連動して前記出口を開閉するシャッタが設けられたセンサカートリッジ。
【請求項２】
カートリッジケースの下辺側に沿って水平方向にスライドするとともに、歯車でスライドプレートと連結されたスライド部材を設け、このスライド部材を出口と反対方向にスライドさせることにより、シャッタで前記出口は開放されるとともに前記スライドプレートで血液センサを前記出口から搬出し、前記スライド部材を前記出口方向にスライドさせることにより、前記出口は前記シャッタで閉塞されるとともに前記スライドプレートは前記血液センサの搬出前の位置に戻る請求項１に記載のセンサカートリッジ。
【請求項３】
積層収納された血液センサを下方へ押圧する押さえ板を設けるとともに、この押さえ板には、前記血液センサの貯留部と対応する位置に孔が設けられた請求項１に記載のセンサカートリッジ。
【請求項４】
スライド部材には、シャッタを構成する出口開閉部材とローラが連結された請求項２に記載のセンサカートリッジ。
【請求項５】
スライドプレートには、シャッタを構成する弾性部材が連結された請求項１に記載のセンサカートリッジ。
【請求項６】
出口には、シャッタを構成する蓋とこの蓋をスライドプレート側へ押圧するバネが装着された請求項１に記載のセンサカートリッジ。
【請求項７】
穿刺部を有するとともに略直方体形状をした筐体と、この筐体内に設けられるとともに前記穿刺部に対向して設けられた穿刺手段と、請求項２に記載のセンサカートリッジと、このセンサカートリッジから前記穿刺部へ搬送された血液センサと電気的に接続される測定回路部とを備え、前記穿刺部を保護するとともに開閉自在な穿刺部保護カバーを設け、この穿刺部保護カバーの開に連動して前記センサカートリッジを構成するスライド部材をスライドさせ、前記血液センサを前記穿刺部に装填する血液検査装置。
【請求項８】
スライド部材に凸部を設けるとともに、この凸部が嵌入する凹部を穿刺部保護カバーに設け、この穿刺部保護カバーを水平方向にスライドさせることにより、穿刺部を開にするとともに血液センサを前記穿刺部に装填する請求項７に記載の血液検査装置。
【請求項９】
スライド部材に凸部を設けるとともに、この凸部がスライドする凹溝を穿刺部保護カバーに設け、この穿刺部保護カバーを垂直方向にスライドさせることにより、穿刺部を開にするとともに血液センサを前記穿刺部に装填する請求項７に記載の血液検査装置。
【請求項１０】
スライド部材に凸部を設けるとともに、この凸部がスライドする凹溝を穿刺部保護カバーに設け、この穿刺部保護カバーを回動させることにより、穿刺部を開にするとともに血液センサを前記穿刺部に装填する請求項７に記載の血液検査装置。
【発明の詳細な説明】
【技術分野】
【０００１】
本発明は、センサカートリッジとこれを用いた血液検査装置に関するものである。
【背景技術】
【０００２】
以下、従来のセンサカートリッジについて説明する。図２１は、従来のセンサカートリッジの断面図である。図２１において、従来のセンサカートリッジ１は、略直方体形状をしたカートリッジケース２と、このカートリッジケース２内に積層収納された血液センサ（以下センサという）３と、このセンサ３の近傍に収納された乾燥剤４と、カートリッジケース２に設けられるとともにセンサ３が搬出される出口２ａと、この出口２ａからセンサ３を搬出するスライドプレート５と、このスライドプレート５を駆動する搬送ドラム６とから構成されていた。
【０００３】
搬送ドラム６には、スライドプレート５に設けられた凸部５ａが嵌入してスライドするとともに螺旋形状をした凹溝６ａが形成されていた。そして、この搬送ドラム６を正回転させることにより、一番下に収納されたセンサ３を一枚ずつ、出口２ａから搬出するものである。また、搬送ドラム６を逆回転させることにより、スライドプレート５を出口２ａと逆方向に移動させ、搬出前の元の位置に戻すものである。
【０００４】
このセンサカートリッジ１に乾燥剤４が収納されている理由は、センサ３は湿気で劣化する性質を有しているので、センサ３の湿度による劣化を防止するために収納している。
【０００５】
なお、この出願の発明に関連する先行技術文献情報としては、例えば、特許文献１が知られている。
【特許文献１】特開２００４―４０４６号公報
【発明の開示】
【発明が解決しようとする課題】
【０００６】
しかしながらこのような従来のセンサカートリッジ１では、湿気を防止するために乾燥剤４が収納されているものの、カートリッジケース２に形成された出口２ａは、常時開放されており外気にさらされている。従って、この出口２ａから湿気が浸入してセンサ３を劣化させてしまうことが考えられる。
【０００７】
本発明は、このような問題を解決したもので、血液センサの劣化を防止するセンサカートリッジを提供することを目的としたものである。
【課題を解決するための手段】
【０００８】
この目的を達成するために、本発明のセンサカートリッジは、スライドプレートによる搬出動作に連動して出口を開閉するシャッタが設けられたものである。これにより、所期の目的を達成することができる。
【発明の効果】
【０００９】
以上のように本発明のセンサカートリッジは、スライドプレートによる搬出動作に連動して出口を開閉するシャッタが設けられたものであり、スライドプレートにより血液センサを搬出するときのみ出口を開放し、通常はシャッタで出口を封鎖しておくことができる。従って、この出口から浸入する湿気を極めて少なくすることができ、血液センサの劣化を防止することができる。即ち、血液センサの長寿命化を図ることができる。
【発明を実施するための最良の形態】
【００１０】
（実施の形態１）
以下、本発明の実施の形態について図面に基づいて説明する。図１は、センサカートリッジ１１の断面図である。図１において、１２は略直方体形状をしたカートリッジケースであり樹脂で形成されている。このカートリッジケース１２内には、血液センサ（以下センサという）１３が積層収納されたセンサ室１２ｂと、乾燥剤１４が収納された乾燥剤室１２ｃとが設けられている。また、センサ室１２ｂの下辺１２ｄの角には、センサ１３が搬出される出口１２ａが設けられている。
【００１１】
１５は、カートリッジケース１２の下辺１２ｄをスライドするスライドプレートであり、センサ室１２ｂ内のセンサ１３を出口１２ａから搬出するものである。また、１６は、下辺１２ｄを水平方向（矢印１７ａ、１７ｂ方向）にスライドするスライド部材であり上面と前面側（出口１２ａ側）が開口している。
【００１２】
スライドプレート１５の下面には、歯１５ａが形成されており、この歯１５ａはカートリッジケース１２に回転自在に固着された歯車１５ｂと歯合している。また、歯車１５ｂは、スライド部材１６の底面に形成された歯１６ａと歯合している。従って、スライド部材１６を出口１２ａ方向（矢印１７ｂ方向）へスライドした状態では、スライドプレート１５は、スライド部材１６とは反対方向にスライドし、センサ１３を搬出する状態となる。
【００１３】
図２は、センサカートリッジ１１の正面図である。カートリッジケース１２の下辺１２ｄの角は曲線１２ｅとなっており、この曲線１２ｅに沿うように凹溝１２ｆが形成されている。１８ａは、弾性を有するローラであり、出口開閉部材１８ｂの一方に回転自在に装着されている。出口開閉部材１８ｂの他方は、スライド部材１６の前方近傍に回動自在に装着されている。出口開閉部材１８ｂは、凹溝１２ｆと反対方向に曲がった「へ」の字形状をしており、この「へ」の字形状の折曲がり部には、凸部１８ｃが形成されている。この凸部１８ｃは凹溝１２ｆに嵌入し、この凹溝１２ｆに沿ってスライドする。ローラ１８ａと出口開閉部材１８ｂと凸部１８ｃと凹溝１２ｆとで、出口１２ａを開閉するシャッタ１８を形成している。スライド部材１６を出口１２ａ方向（矢印１７ｂ方向）へ移動した状態では、ローラ１８ａで出口１２ａを塞ぎ、カートリッジケース１２を密閉してセンサ１３を湿気から保護している。
【００１４】
この状態から、スライド部材１６を矢印１７ａ方向へスライドすると、このスライド部材１６に形成された歯１６ａと歯合した歯車１５ｂは矢印１７ｃ方向に回転する。歯車１５ｂが矢印１７ｃ方向に回転すると、この歯車１５ｂに歯合した歯１５ａを有するスライドプレート１５が矢印１７ｂ方向（出口１２ａ方向）へスライドする。スライドプレート１５が矢印１７ｂ方向へスライドすることにより、図３に示すように、センサ室１２ｂに積層収納されたセンサ１３の内一番下に位置するセンサ１３が出口１２ａから外部へ搬出される。
【００１５】
また、このとき出口開閉部材１８ｂに設けられた凸部１８ｃは、図４に示すように凹溝１２ｆに沿ってスライドしている。このことにより、シャッタ１８を構成するローラ１８ａは、出口１２ａから外れて、出口１２ａは開放されている。
【００１６】
出口１２ａが開放された状態から、スライド部材１６を矢印１７ｂ方向にスライドすると、スライド部材１６に形成された歯１６ａに歯合した歯車１５ｂは、矢印１７ｄ方向に回転する。歯車１５ｂが矢印１７ｄ方向に回転すると、この歯車１５ｂに歯合した歯１５ａを有するスライドプレート１５は、図１に示すように元の状態に戻る。また、シャッタ１８を構成するローラ１８ａは図１、図２に示すように出口１２ａを塞ぎ、カートリッジケース１２内を密閉してセンサ１３を湿気から保護する。ここで、図２、図４に示した１６ｃは、スライド部材１６に植設された凸部であり、この凸部１６ｃはスライド部材１６を外部から駆動するものである。
【００１７】
図５は、センサカートリッジ１１を側面から見た断面図である。カートリッジケース１２の下辺１２ｄには、溝１２ｇが水平方向に形成されており、この溝１２ｇはスライド部材１６に形成された凸状の土手１６ｄに嵌入する。従って、スライド部材１６は、この溝１２ｇ上を水平方向にスライドする。
【００１８】
スライドプレート１５の底面の中央には、歯１５ａが形成されており、この歯１５ａはカートリッジケース１２に回転自在に設けられた歯車１５ｂと歯合している。また、この歯車１５ｂは、スライド部材１６の底面の中央に形成された歯１６ａと歯合している。また、出口開閉部材１８ｂに植設された凸部１８ｃは、カートリッジケース１２に形成された凹溝１２ｆに嵌入してスライドする。
【００１９】
以上説明したように、センサ室１２ｂは、出口１２ａ以外は密閉された構造になっており、スライドプレート１５によりセンサ１３を搬出するとときのみ出口１２ａが開放され、通常はシャッタ１８を構成するローラ１８ａで出口１２ａが封鎖されている。従って、この出口１２ａから浸入する湿気を極めて少なくすることができ、センサ１３の劣化を防止することができる。即ち、センサ１３の長寿命化を図ることができる。
【００２０】
ここで、図１に示した１２ｈは、積層収納されたセンサ１３を下方に押圧する押さえ板であり、この押さえ板１２ｈは、バネ１２ｊにより下方へ付勢されている。また、この押さえ板１２ｈには、センサ１３に設けられた貯留部３４と対応する位置に孔１２ｋを設けている。従って、乾燥剤１４により乾燥した空気はこの孔１２ｋと積層収納されたセンサ１３の貯留部３４を通って夫々のセンサ１３内の試薬４０(図６参照)を湿気から保護している。
【００２１】
図６は、センサ室１２ｂに収納されるセンサ１３の断面図である。このセンサ１３は、基板３１と、この基板３１の上面に貼り合わされたスペーサ３２と、このスペーサ３２の上面に貼り合わされたカバー３３とで構成されている。
【００２２】
３４は、血液１０（図示せず）の貯留部であり、この貯留部３４は、基板３１の略中央に形成された基板孔３１ａと、この基板孔３１ａに対応してスペーサ３２に形成されたスペーサ孔３２ａと、基板孔３１ａに対応してカバー３３に形成されたカバー孔３３ａとが連通して形成されている。
【００２３】
３５は、この貯留部３４に一方の端が連結された血液１０の供給路であり、貯留部３４に溜められた血液１０を毛細管現象で一気に検出部３７へ導く路である。また、この供給路３５の他方の端は空気孔３８に連結している。貯留部３４の容積は０．９０４μＬであり、供給路３５の容積は０．１４４μＬとしている。このように少量の血液１０で検査可能とし、患者への負担を軽減している。
【００２４】
４０は、検出部３７上に載置された試薬である。この試薬４０は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、これを基板３１に形成された検出電極４１，４３（図７参照）上に滴下し、乾燥させることで形成したものである。この試薬４０は吸湿すると性能の劣化が進行する。この劣化を防止するため、センサカートリッジ１１内には乾燥剤１４が収納されている。
【００２５】
基板３１の上面には金、白金、パラジウム等を材料として、スパッタリング法或いは蒸着法により導電層を形成し、これをレーザ加工により検出電極４１〜４５と、この検出電極４１〜４５から夫々導出された接続電極４１ａ〜４５ａと識別電極４７ａが一体的に形成されている。
【００２６】
図７は、センサ１３の透視平面図であり、一方の端には、接続電極４１ａ〜４５ａと、識別電極４７ａが形成されている。接続電極４３ａと識別電極４７ａとの間に、導電体パターンで形成された識別部４７が形成されている。
【００２７】
３４は、センサ１３の略中央に設けられた血液１０の貯留部であり、この貯留部３４に一方の端が接続された供給路３５が検出電極４２に向かって設けられている。そして、この供給路３５の他方の端は空気孔３８に連結している。この供給路３５上には、貯留部３４側から順に接続電極４４ａに接続された検出電極４４と、接続電極４５ａに接続された検出電極４５と、接続電極４３ａに接続された検出電極４３と、接続電極４１ａに接続された検出電極４１と、接続電極４２ａに接続された検出電極４２が設けられている。また、検出電極４１，４３上には、試薬４０が載置される。
【００２８】
接続電極４３ａと識別電極４７ａ間の電気的な導通があるか無いかで、センサ１３が穿刺部２６に装着されたか否かを識別することができる。即ち、このセンサ１３を穿刺部２６に搬送したとき、接続電極４３ａと識別電極４７ａ間の電気的な導通を検知することにより、センサ１３が確実に穿刺部２６に装着されたか否かを検知することができる。
【００２９】
また、識別部４７の電気抵抗値を変えることにより、使用する検量線の情報を格納したり、製造情報を格納したりすることが可能となる。図８は、長方形状をするとともに板体で形成されたセンサ１３の斜視図である。なお、実施の形態４における血液検査装置２４では、識別部４７の導通・非導通の違いを用いて、穿刺部保護カバー３０の開検知センサとしても活用している。
【００３０】
（実施の形態２）
実施の形態２におけるセンサカートリッジ２０は、シャッタ２１（センサカートリッジ１１におけるシャッタ１８に該当する）の構造のみ実施の形態１と相違する。従って、この相違点を中心に説明する。なお、実施の形態１と同じものについては、同符号を付して説明を簡略化している。これは、以後の実施の形態についても同様とする。
【００３１】
図９、図１０において、スライドプレート１５の後端には、シャッタ２１を構成する屈曲自在な弾性部材２１ａの一方の端２１ｂが固定されている。この弾性部材２１ａはカートリッジケース１２の下辺１２ｄ内を貫通して設けられた孔２１ｃをスライド自在にスライドして、出口１２ａに設けられた凹部２１ｄに当接可能に形成されている。なお、本実施の形態において、弾性部材２１ａとして鋼板を用いている。
【００３２】
図９は、スライドプレート１５がセンサ１３を搬出する前の状態であり、スライドプレート１５に連結された弾性部材２１ａの他方の端２１ｅは、凹部２１ｄに嵌入して出口１２ａを塞いで密封している。即ち、出口１２ａから侵入する湿気からセンサ１３を保護している。
【００３３】
図１０は、スライドプレート１５によりセンサ１３を搬出している状態であり、スライドプレート１５により、センサ１３は、出口１２ａ方向へ搬送される。スライドプレート１５の出口１２ａ方向（矢印１７ｂ方向）へのスライドにより、スライドプレート１５に連結された弾性部材２１ａの他方の端２１ｅは、凹部２１ｄから離れて出口１２ａを開放している。この開放された出口１２ａからセンサ１３が搬出される。
【００３４】
また、スライドプレート１５を出口１２ａと反対方向（矢印１７ａ）方向へスライドすることにより、図９に示すように、スライドプレート１５は、次のセンサ１３の搬出可能な元の位置に戻る。また、出口１２ａは弾性部材２１ａで閉塞されて密閉される。なお、スライドプレート１５は、スライド部材１６（図１〜図５）によりスライドされる。
【００３５】
（実施の形態３）
実施の形態３におけるセンサカートリッジ２２は、シャッタ２３（実施の形態１のおけるセンサカートリッジ１１のシャッタ１８に該当する）の構造のみ実施の形態１と相違する。従って、この相違点を中心に説明する。
【００３６】
図１１、図１２において、出口１２ａの外側には、シャッタを構成する蓋２３ａが回動自在に設けられている。この蓋２３ａは、コイルバネ２３ｂで押圧されて出口１２ａを塞いでいる。図１１は、スライドプレート１５がセンサ１３を搬出する前の状態であり、蓋２３ａにより出口１２ａを塞いで密閉している。即ち、出口１２ａから侵入する湿気からセンサ１３を保護している。
【００３７】
図１２は、スライドプレート１５によりセンサ１３を搬出している状態であり、スライドプレート１５により、一番下に積層されたセンサ１３は、出口１２ａ方向へ搬送される。スライドプレート１５の出口１２ａ方向（矢印１７ｂ方向）へのスライドにより、コイルバネ２３ｂの付勢力に抗してセンサ１３で蓋２３ａを押し上げて出口１２ａを開放している。この開放された出口１２ａからセンサ１３が搬出される。
【００３８】
また、スライドプレート１５を出口１２ａと反対方向（矢印１７ｂ方向）へスライドすることにより、図１１に示すように、スライドプレート１５は、次のセンサ１３の搬出可能な元の位置に戻る。また、出口１２ａは蓋２３ａで閉塞されて密閉される。なお、スライドプレート１５は、スライド部材１６（図１〜図５）によりスライドされる。
【００３９】
（実施の形態４）
図１３は、実施の形態１におけるセンサカートリッジ１１（センサカートリッジ２０、２２でも同様）を用いた血液検査装置２４の透視平面図である。図１３において、２５は略直方体形状をした筐体であり樹脂で形成されている。この筐体２５の下辺の角には穿刺部２６が設けられている。この穿刺部２６は上ホルダ２６ａ（図示せず）と下ホルダ２６ｂ（図示せず）とで構成されおり、この上ホルダ２６ａと下ホルダ２６ｂの間にセンサ１３を挟んで固定する。
【００４０】
穿刺部２６に対向してレーザ穿刺ユニット２７（穿刺手段の一例として用いた）が装着されている。なお、穿刺手段としては、レーザ穿刺ユニット２７の他に、穿刺針を用いた針穿刺ユニットを用いることもできる。
【００４１】
筐体２５の下辺側には、センサカートリッジ１１が挿抜自在に挿入されている。このセンサカートリッジ１１には、搬送手段を構成するスライドプレート１５が設けられており、このスライドプレート１５を用いて積層収納されたセンサ１３の内、一番下に収納されたセンサ１３を穿刺部２６へ搬送する。
【００４２】
センサカートリッジ１１の上方に隣接して測定回路部２８が設けられている。この測定回路部２８は、上ホルダ２６ａに設けられたコネクタ４９（図示せず）に接続されており、このコネクタ４９を介してセンサ１３と接続されている。
【００４３】
測定回路部２８の出力は筐体２５の前面上方に装着された表示部２９に表示される。この表示部２９の裏側には、電池１９（図示せず）が挿抜自在に挿入されている。
【００４４】
３０は、穿刺部２６を保護する穿刺部保護カバーであり、この穿刺部保護カバー３０は、穿刺部２６へセンサ１３を装填する働きも兼ねている。この穿刺部保護カバー３０には、センサカートリッジ１１を構成するスライド部材１６に設けられた凸部１６ｃが嵌入する凹部３０ａが設けられている。従って、穿刺部保護カバー３０の水平方向へのスライドに連動してスライド部材１６も水平方向にスライドすることになる。
【００４５】
即ち、図１４（ａ）に示すように、この穿刺部保護カバー３０を、穿刺部２６と反対方向（矢印１７ａ方向）に水平にスライドすることにより、センサカートリッジ１１のスライド部材１６も同方向にスライドし、センサ１３を穿刺部２６に装填するものである。
【００４６】
また、穿刺部保護カバー３０を穿刺部２６方向（矢印１７ｂ方向）へ水平にスライドすることにより、穿刺部保護カバー３０が穿刺部２６を覆う。このとき、図１４（ｂ）に示すように、スライド部材１６も穿刺部保護カバー３０と同方向（矢印１７ｂ方向）にスライドするので、シャッタ１８を構成するローラ１８ａが出口１２ａを封鎖して、カートリッジケース１２を密閉する。このことにより、センサ１３は湿気から保護される。
【００４７】
図１５は、センサ１３からの信号に基づいて血液１０の性質（血糖値）を測定する測定回路部２８とその近傍のブロック図である。図１５において、センサ１３の接続電極４１ａ〜４５ａ、（図７参照）は、コネクタ４９（４９ａ〜４９ｅ）を介して切換回路２８ａに接続されている。この切換回路２８ａの出力は、電流／電圧変換器２８ｂの入力に接続されている。そして、その出力はアナログ／デジタル変換器（以後、Ａ／Ｄ変換器という）２８ｃを介して演算部２８ｄの入力に接続されている。この演算部２８ｄの出力は、液晶で形成された表示部２９と送信部２８ｅに接続されている。また、切換回路２８ａには基準電圧源２８ｆが接続されている。なお、この基準電圧源２８ｆはグランド電位であっても良い。
【００４８】
２８ｇは制御部であり、この制御部２８ｇの出力は、レーザ穿刺ユニット２７に接続された高電圧発生回路２８ｈと、切換回路２８ａの制御端子と、演算部２８ｄと、送信部２８ｅに接続されている。また、制御部２８ｇの入力には、穿刺ボタン２７ａと、タイマ２８ｋと、コネクタ４９ｆが接続されている。
【００４９】
以下、測定回路部２８の動作を説明する。測定動作は先ず切換回路２８ａを切換えて、検出電極４１を電流／電圧変換器２８ｂに接続する。また、血液１０流入を検知するための検知極となる検出電極４２を基準電圧源２８ｆに接続する。そして、検出電極４１及び検出電極４２間に一定の電圧を印加する。この状態において、血液１０が流入すると、検出電極４１，４２間に電流が流れ、血液１０が十分に流入したことを検出する。
【００５０】
次に、血液成分であるグルコースの測定が行なわれる。グルコース成分量の測定は、制御部２８ｇの指令により、切換回路２８ａを切換えて、グルコース成分量の測定のための作用極となる検出電極４１を電流／電圧変換器２８ｂに接続する。また、グルコース成分量の測定のための対極となる検出電極４３を基準電圧源２８ｆに接続する。
【００５１】
そして、一定時間（１〜１０秒）の経過後に、制御部２８ｇの指令により、検出電極４１と４３間に一定の電圧（０．２〜０．５Ｖ）を印加する。そうすると、検出電極４１，４３間に電流が流れる。この電流値を基にグルコース成分量に換算する。
【００５２】
グルコース成分量の測定後、Ｈｃｔ値の測定のための作用極となる検出電極４５を電流／電圧変換器２８ｂに接続する。また、Ｈｃｔ値の測定のための対極となる検出電極４１を基準電圧源２８ｆに接続する。
【００５３】
次に、制御部２８ｇの指令により、電流／電圧変換器２８ｂ及び基準電圧源２８ｆから検出電極４５と４１間に一定の電圧（２Ｖ〜３Ｖ）を印加し、このとき流れる電流の値に基づいてＨｃｔ値に換算する。
【００５４】
この測定で得られたＨｃｔ値とグルコース成分量を用い、予め求めておいた検量線または検量線テーブルを参照して、グルコース成分量をＨｃｔ値で補正し、その補正された結果を表示部２９に表示するとともにメモリに格納する。また、その結果を送信部２８ｅからインスリンを注射する注射装置に向けて送信する。
【００５５】
以上、グルコースの測定を例に説明したが、センサ１３の試薬４０を交換して、グルコースの測定の他に乳酸値やコレステロールの血液成分の測定にも適用できる。
【００５６】
次に、図１６を用いて血液検査装置２４を用いた検査方法を説明する。先ずステップ５１では、血液検査装置２４の穿刺部保護カバー３０を矢印１７ａ（図１３参照）へスライドする。即ち、穿刺部２６を露出させる。このとき、穿刺部保護カバー３０のスライドにより、同時にセンサ１３が穿刺部２６に装填される。この装填の確認は、センサ１３の接続電極４３ａと識別電極４７ａの導通を検知することにより行う。
【００５７】
そして、センサ１３の装填が確認されたらステップ５２へ移行する。ステップ５２では、高電圧発生回路２８ｈを動作させて穿刺に必要な高電圧を発生させる。高電圧が発生したら表示部２９に「穿刺可」の表示をしてステップ５３へ移行し、穿刺ボタン２７ａの押下を待つ。
【００５８】
ステップ５３において、穿刺ボタン２７ａが押下されると、レーザ穿刺ユニット２７からレーザ光２７ｂが放射され患者の皮膚９を穿刺する。なお、穿刺ボタン２７ａの押下のタイミングで表示部２９に表示した「穿刺可」の表示はオフする。皮膚９の穿刺により、滲出した血液１０がセンサ１３の貯留部３４に取り込まれる。この貯留部３４に取り込まれた血液１０は、供給路３５による毛細管現象により一気に（定まった流速で）検出部３７に取り込まれる。そして、ステップ５４へ移行して血液１０の血糖値が測定される。
【００５９】
ステップ５４で血糖値が測定されたら、ステップ５５に移行し、測定した血糖値を表示部２９に表示する。これで、血液１０の測定は終了し、ステップ５６へ移行する。ステップ５６では、穿刺部保護カバー３０を矢印１７ｂ（図１３参照）へスライドする。即ち、穿刺部２６を穿刺部保護カバー３０で覆うとともに、センサカートリッジ１１の出口１２ａはシャッタ３０で封鎖されてカートリッジケース１２は密閉される。
【００６０】
以上説明したように、ステップ５１において、穿刺部保護カバー３０を矢印１７ａ方向へスライドするのみで、穿刺部２６にはセンサ１３が装填される。従って、センサ１３の装填作業は格段に簡潔化される。また、穿刺部保護カバー３０を矢印１７ｂ方向へスライドするとセンサカートリッジ１１の出口１２ａは封鎖されてカートリッジケース１２は密閉され、センサ１３の長寿命化を図ることができる。
【００６１】
（実施の形態５）
実施の形態５における血液検査装置６１（実施の形態１における血液検査装置２４に該当する）は、穿刺部保護カバー６２（実施の形態１における穿刺部保護カバー３０に該当する）が筐体２５に対して上下方向（矢印１７ｅ、１７ｆ方向）へスライドする点で、実施の形態４と異なる。従って、実施の形態５では、この異なる点に付いて説明する。
【００６２】
図１７に示すように、穿刺部保護カバー６２の上方には、指９ａの挿入孔６２ａが設けられており、穿刺部保護カバー６２を下方（矢印１７ｆ方向）へスライドしたとき穿刺部２６と対応し、血液検査装置６１の正面から裏面までを貫通する挿入孔６２ａが構成されるようになっている。従って、患者は、この挿入孔６２ａへ指９ａを挿入することにより、指９ａを固定した状態で穿刺することができ穿刺時に指９ａがずれることはない。また、穿刺部保護カバー６２が引き出されることにより、筐体２５は実質的に大型化されており操作が容易となる。また、穿刺部保護カバー６２を上方（矢印１７ｅ方向）へスライドした状態では、穿刺部２６は穿刺部保護カバー６２で保護されるとともに、小型化され携帯に適した形状となる。
【００６３】
穿刺部保護カバー６２を矢印１７ｆ方向にスライドすると、センサカートリッジ１１は以下のような動作をする。即ち、穿刺部保護カバー６２には、図１８に示すように、スライド部材１６に設けられた凸部１６ｃが嵌入される凹溝６２ｂが、下方から右上（図１８において）に向かって斜めに形成されている。従って、穿刺部保護カバー６２の下方（矢印１７ｆ方向）へスライドに連動してスライド部材１６は矢印１７ｊ方向にスライドすることになる。
【００６４】
即ち、図１８（ａ）に示すように、この穿刺部保護カバー６２を、下方（矢印１７ｆ方向）にスライドすることにより、スライド部材１６に設けられた凸部１６ｃは、穿刺部保護カバー６２に形成された凹溝６２ｂに沿って、右方向（矢印１７ｊ方向）へスライドする。即ち、スライド部材１６が矢印１７ｊ方向にスライドしセンサ１３を穿刺部２６に装填する。
【００６５】
逆に、穿刺部保護カバー６２を上方（矢印１７ｅ方向）にスライドして穿刺部２６を覆と、図１８（ｂ）に示すように、凸部１６ｃは凹溝６２ｂを左下へスライドして、スライド部材１６は矢印１７ｂ方向へスライドする。スライド部材１６が矢印１７ｂ方向へスライドされると、シャッタ１８を構成するローラ１８ａが出口１２ａを封鎖して、カートリッジケース１２を密閉する。このことにより、センサ１３は湿気から保護される。
【００６６】
（実施の形態６）
実施の形態６における血液検査装置６５（実施の形態１における血液検査装置２４に該当する）は、穿刺部保護カバー６６（実施の形態１における穿刺部保護カバー３０に該当する）が筐体２５に対して支点６６ａを中心として自在に回動（矢印１７ｇ、１７ｈ方向）する点で、実施の形態４と異なる。従って、実施の形態６では、この異なる点に付いて説明する。
【００６７】
図１９に示すように、穿刺部保護カバー６６は、支点６６ａを中心に回動する。穿刺部保護カバー６６を開方向（矢印１７ｇ方向）に回動すると、穿刺部２６が現れ穿刺が可能となる。これに対して、穿刺部保護カバー６６を閉方向（矢印１７ｈ方向）に回動すると、穿刺部２６が覆われ、穿刺部２６が保護される。
【００６８】
また、穿刺部保護カバー６６には、図２０に示すように、スライド部材１６に設けられた凸部１６ｃが嵌入される凹溝６６ａが設けられており、この凹溝６６ａは図２０（ｂ）において示すように、下方から右上に向かって斜めに形成されている。従って、穿刺部保護カバー６６の開方向（矢印１７ｇ方向）へ回動すると、図２０（ａ）に示すように、スライド部材１６は矢印１７ｊ方向にスライドすることになる。
【００６９】
即ち、この穿刺部保護カバー６６を、開方向（矢印１７ｇ方向）に開けることにより、スライド部材１６に設けられた凸部１６ｃは、穿刺部保護カバー６６に形成された凹溝６６ａに導かれて右方へスライドすることになる。即ち、スライド部材１６を矢印１７ｊ方向へスライドし、センサ１３を穿刺部２６に装填する。
【００７０】
また逆に、図２０（ｂ）に示すように、穿刺部保護カバー６６を開方向（矢印１７ｈ方向）に回動すると、凸部１６ｃは凹溝６６ａに導かれて左方にスライドし、スライド部材１６は矢印１７ｋ方向にスライドする。スライド部材１６が矢印１７ｋ方向へスライドすると、シャッタ１８を構成するローラ１８ａが出口１２ａを封鎖して、カートリッジケース１２を密閉する。このことにより、センサ１３は湿気から保護される。
【産業上の利用可能性】
【００７１】
本発明にかかるセンサカートリッジは、内蔵された血液センサが湿気による劣化から保護されるので、血液検査装置等に適用できる。
【図面の簡単な説明】
【００７２】
【図１】本発明の実施の形態１におけるセンサカートリッジの正面から見た第１の状態の断面図
【図２】同正面図
【図３】同正面から見た第２の状態の断面図
【図４】同正面図
【図５】同側面から見た断面図
【図６】同血液検査装置に用いるセンサの断面図
【図７】同センサの透視平面図
【図８】同センサの斜視図
【図９】同実施の形態２におけるセンサカートリッジの正面から見た第１の状態の要部断面図
【図１０】同第２の状態の要部断面図
【図１１】同実施の形態３におけるセンサカートリッジの正面から見た第１の状態の要部断面図
【図１２】同第２の状態の要部断面図
【図１３】同本発明のセンサカートリッジを用いた実施の形態４における血液検査装置の透視平面図
【図１４】同要部断面図、（ａ）は同第１の状態における要部正面図、（ｂ）は同第２の状態における要部正面図
【図１５】同測定回路部とその近傍のブロック図
【図１６】同検査方法のフローチャート
【図１７】同本発明のセンサカートリッジを用いた実施の形態５における血液検査装置の透視平面図
【図１８】同要部断面図、（ａ）は同第１の状態における要部正面図、（ｂ）は同第２の状態における要部正面図
【図１９】同本発明のセンサカートリッジを用いた実施の形態６における血液検査装置の透視平面図
【図２０】同要部断面図、（ａ）は同第１の状態における要部正面図、（ｂ）は同、第２の状態における要部正面図
【図２１】従来のセンサカートリッジの断面図
【符号の説明】
【００７３】
１１    センサカートリッジ
１２    カートリッジケース
１２ａ    出口
１３    センサ
１４    乾燥剤
１５    スライドプレート
１８    シャッタ
【図１】
2010094402.tif 000003
【図２】
2010094402.tif 000004
【図３】
2010094402.tif 000005
【図４】
2010094402.tif 000006
【図５】
2010094402.tif 000007
【図６】
2010094402.tif 000008
【図７】
2010094402.tif 000009
【図８】
2010094402.tif 000010
【図９】
2010094402.tif 000011
【図１０】
2010094402.tif 000012
【図１１】
2010094402.tif 000013
【図１２】
2010094402.tif 000014
【図１３】
2010094402.tif 000015
【図１４】
2010094402.tif 000016
【図１５】
2010094402.tif 000017
【図１６】
2010094402.tif 000018
【図１７】
2010094402.tif 000019
【図１８】
2010094402.tif 000020
【図１９】
2010094402.tif 000021
【図２０】
2010094402.tif 000022
【図２１】
2010094402.tif 000023